(57)【要約】描画装置（１）は、記録媒体が備えるレーベル面（１２２）に所望のパターンを描画するための描画処理を行う描画装置であって、描画される所望のパターンをユーザから受け付ける入力手段（４２）と、レーベル面にレーザ光を照射することで、受け付けられる所望のパターンをレーベル面に描画する描画手段（１３）と、所望のパターンがレーベル面に描画される度に、該描画される所望のパターンと、描画されるレーベル面を備える記録媒体に固有の識別情報とが対応付けられた管理情報を記録する管理情報記録手段（３２）とを備える。
2008078372.tif 000002
【特許請求の範囲】
【請求項１】
記録媒体が備えるレーベル面に所望のパターンを描画するための描画処理を行う描画装置であって、
前記描画される所望のパターンをユーザから受け付ける入力手段と、
前記レーベル面にレーザ光を照射することで、前記受け付けられる所望のパターンを前記レーベル面に描画する描画手段と、
前記所望のパターンが前記レーベル面に描画される度に、該描画される所望のパターンと、前記描画されるレーベル面を備える前記記録媒体に固有の識別情報とが対応付けられた管理情報を記録する管理情報記録手段と
を備えることを特徴とする描画装置。
【請求項２】
前回及びそれ以前に行われた前記描画処理によって前記記録媒体に描画されている前記所望のパターンを描画履歴として、前記記録される管理情報に基づいて表示する表示手段を更に備える
ことを特徴とする請求の範囲第１項に記載の描画装置。
【請求項３】
前記描画履歴と今回の描画処理にあたり受け付けられる前記所望のパターンとの、前記レーベル面における重なりがあるか否かを判定する判定処理を行う判定手段を更に備える
ことを特徴とする請求の範囲第２項に記載の描画装置。
【請求項４】
前記判定処理により前記重なりがあると判定される場合には、前記ユーザに対して所定の警告を与える警告手段を更に備える
ことを特徴とする請求の範囲第３項に記載の描画装置。
【請求項５】
前記判定処理により前記重なりがあると判定される場合には、前記重なりの程度が低減するように、前記今回の描画処理にあたり受け付けられる前記所望のパターンを移動又は縮小させる修正手段を更に備える
ことを特徴とする請求の範囲第３項に記載の描画装置。
【請求項６】
前記管理情報が記録されていない場合に、前記レーベル面を光学的に走査することで、前記描画履歴を読み取る読取手段を更に備え、
前記表示手段は、前記読み取られる所望のパターンを表示する
ことを特徴とする請求の範囲第２項に記載の描画装置。
【請求項７】
当該描画装置が前記レーベル面として前記記録媒体の記録面に描画する場合、
前記記録面に対してデータを１度きり又は追加で記録可能なデータ記録手段を更に備え、
前記管理情報記録手段は、前記描画される所望のパターンに加えて、前記記録面におけるデータ記録済みの領域も、前記管理情報として記録する
ことを特徴とする請求の範囲第１項に記載の描画装置。
【請求項８】
前記表示手段は、前記データ記録済みの領域も更に表示する
ことを特徴とする請求の範囲第７項に記載の描画装置。
【請求項９】
前記表示手段は、前記データ記録手段によってデータが追加で記録される予定のある領域も更に表示する
ことを特徴とする請求の範囲第８項に記載の描画装置。
【請求項１０】
前記記録された管理情報に基づいて、前記記録面におけるデータ追加記録が可能な領域に対応する残り記録可能容量を算出する算出手段を更に備える
ことを特徴とする請求の範囲第７項に記載の描画装置。
【請求項１１】
前記表示手段は、前記算出される残り記録可能容量も更に表示する
ことを特徴とする請求の範囲第１０項に記載の描画装置。
【請求項１２】
記録媒体が備えるレーベル面に所望のパターンを描画するための描画処理を行う描画装置における描画方法であって、
前記描画される所望のパターンをユーザから受け付ける入力工程と、
前記レーベル面にレーザ光を照射することで、前記受け付けられる所望のパターンを前記レーベル面に描画する描画工程と、
前記所望のパターンが前記レーベル面に描画される度に、該描画される所望のパターンと、前記描画されるレーベル面を備える前記記録媒体に固有の識別情報とが対応付けられた管理情報を記録する管理情報記録工程と
を備えることを特徴とする描画方法。
【請求項１３】
記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える描画装置に備えられたコンピュータを制御するコンピュータプログラムであって、
前記コンピュータプログラムは、前記コンピュータを、少なくとも前記管理情報記録手段として機能させることを特徴とするコンピュータプログラム。
【発明の詳細な説明】
【技術分野】
【０００１】
本発明は、例えば記録媒体のレーベル面に対して文字や図形や画像等のパターンを描画する描画装置及び方法、並びにコンピュータプログラムの技術分野に関する。
【背景技術】
【０００２】
ＣＤやＤＶＤ等の光ディスクは、大容量のデータを容易に記録することができる。このような光ディスクに記録されるデータとしては、例えば、ソフトウェア、コンピュータアプリケーション、コンピュータファイル、映像データ、音楽データ等が一具体例として挙げられる。このような光ディスクでは、データをデジタルで記憶する。より具体的には、高強度のレーザ光を用いて光ディスクの微小領域を焼く（即ち、微小領域の光学特性を変化させる）ことで、そのような各微小領域が、記録するデータに応じたピットパターンで反射性又は非反射性になるようにする。これにより、光ディスクにデータを記録することができる。【０００３】
近年、このような光ディスクにおいて、データが記録される記録面とは逆側の面であるレーベル面にユーザの所望のパターン（例えば、所望の画像や文字や図形等）を描画する行為が頻繁に行われている。典型的には、ペン等を用いて所望のパターンを描画するシンプルな行為から、インクジェットプリンタを用いて所望のパターンを描画する行為が一具体例として挙げられる。【０００４】
他方で、所望のパターンを描画する技術として、レーベル面に色素膜等を積層し、該レーベル面（つまり、色素膜）にレーザ光を照射することで、所望のパターンをレーベル面に描画する技術が開発されている（特許文献１及び２参照）。この技術によれば、データを記録するためのハードウェア構成（具体的には、光ピックアップ等）を用いて所望のパターンをレーベル面に描画することができるため、比較的簡易に、きれいな画像や文字や図形等をレーベル面に描画することができる。【０００５】
【特許文献１】米国特許明細書第６７７１２９７号公報
【特許文献２】特開２００６−５１１０３４号公報
【発明の開示】
【発明が解決しようとする課題】
【０００６】
ところで、レーベル面に所望のパターンを描画する技術では、描画時の条件によっては描画される画像等が重なるおそれがある。通常、レーベル面への描画は鉛筆のように消去することが困難であり、このような重なりが一度生じてしまうと、取り返しのつかない事態となり得る。具体的には、今回描画される画像のみならず、これまでにそのレーベル面に描画してきた画像までも台無しにしてしまうおそれがある。【０００７】
本発明は、例えば上述した従来の問題点に鑑みなされたものであり、例えば記録媒体のレーベル面に対して、重なりなく所望のパターンを描画することが可能な描画装置及び方法、並びにコンピュータをこのような描画装置として動作させるためのコンピュータプログラムを提供することを課題とする。
【課題を解決するための手段】
【０００８】
上記課題を解決するために、本発明の描画装置は、記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える。【０００９】
上記課題を解決するために、本発明の描画方法は、記録媒体が備えるレーベル面に所望のパターンを描画するための描画処理を行う描画装置における描画方法であって、前記描画される所望のパターンをユーザから受け付ける入力工程と、前記レーベル面にレーザ光を照射することで、前記受け付けられる所望のパターンを前記レーベル面に描画する描画工程と、前記所望のパターンが前記レーベル面に描画される度に、該描画される所望のパターンと、前記描画されるレーベル面を備える前記記録媒体に固有の識別情報とが対応付けられた管理情報を記録する管理情報記録工程とを備える。【００１０】
上記課題を解決するために、本発明のコンピュータプログラムは、記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える描画装置に備えられたコンピュータを制御するコンピュータプログラムであって、前記コンピュータプログラムは、前記コンピュータを、少なくとも前記管理情報記録手段として機能させる。【００１１】
本発明の作用及び他の利得は次に説明する実施の形態から明らかにされよう。
【図面の簡単な説明】
【００１２】
【図１】第1実施例に係る記録再生装置の基本構成を概念的に示すブロック図である。
【図２】第1実施例に係る記録再生装置の動作の対象となる光ディスクの基本構成を示す平面図である。
【図３】比較例に係る情報記録再生装置によって描画されるレーベルを概念的に示す平面図である。
【図４】第1実施例に係る情報記録再生装置１によって描画されるレーベルを概念的に示す平面図である。
【図５】第1実施例に係る描画管理処理の流れを概念的に示すフローチャートである。
【図６】第1実施例に係る描画管理処理における描画処理の流れを概念的に示すフローチャートである。
【図７】第２実施例に係る描画管理処理の流れを概念的に示すフローチャートである。
【図８】第２実施例に係る警告画面を示す平面図である。
【図９】第３実施例に係る光ディスクの記録面におけるデータ記録済みの領域が表示部に表示されている様子を概念的に示す平面図である。
【図１０】第３実施例において残り記録可能容量が表示部に表示される様子を示す平面図である。
【図１１】第３実施例に係る光ディスクの記録面における複数のデータ記録済み領域と描画済み領域とが表示部に表示されている様子を概念的に示す平面図である。
【符号の説明】
【００１３】
１  情報記録再生装置
１１  スピンドルモータ
１２  光ピックアップユニット
１３  光ピックアップ
１４  スレッド
１５  ステッピングモータ
５１  エンコーダ
５２  エンコーダコントローラ
１６  ＯＰＵコントローラ
１７  ステッピングコントローラ
１８  スピンドルコントローラ
２１  データバス
３１  システムコントローラ
３２  メモリ
４１  表示部
４２  入力部
１００  光ディスク
１１０  データ記録層
１２０  レーベル層
１２１  特徴データ記録エリア
１２２  レーベルエリア
１２１１、１２１２、１２１３  パターン
１０１  仮想の光ディスク
１２２１  仮想のレーベルエリア
１３１  前回分の仮想のレーベル
１３０  前回分のレーベル
１４１  今回分の仮想のレーベル
１４０  今回分のレーベル
１６０  第１データ領域
１６１  仮想の第１データ領域
１１２  記録面（兼レーベルエリア）
１１２１  仮想の記録面
１７０  第２データ領域（追記分）
１７１  仮想の第２データ領域
１５２  吹き出し（残り記録可能容量表示用）
【発明を実施するための最良の形態】
【００１４】
以下、発明を実施するための最良の形態として、本発明の描画装置及び方法、並びにコンピュータプログラムに係る実施形態の説明を進める。【００１５】
（描画装置の実施形態）
本発明の描画装置に係る実施形態は、記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える。【００１６】
本発明の描画装置に係る実施形態によれば、管理情報に基づいて、例えば記録媒体のレーベル面に対して、重なりなく所望のパターンを描画可能となる。より詳しくは、先ずこの描画装置は、記録媒体（例えば、ＣＤ、ＤＶＤ、ＢＤ等の光ディスク）が備えるレーベル面（ここでいう「レーベル面」とは光ディスクの表裏面のうち描画対象となる側の面をいい、典型的には、記録面と反対側の面を示すが、同じ側の面を示してもよい）に所望のパターンを描画するための描画処理を行う描画装置である。【００１７】
ここで、描画される所望のパターン（例えば、所望の画像や所望の文字や所望の図形の形状、大きさ、および配置等）は、入力手段（例えば、マウス、キーボード、タッチパネル等）を介して、ユーザから受け付けられる。【００１８】
このように受け付けられる所望のパターンは、描画手段（例えば、半導体レーザ素子等を有する光ピックアップ）によってレーベル面にレーザ光が照射されることで、レーベル面に描画される。具体的には、描画手段は、レーベル面に沿って、例えば記録媒体の半径方向（言い換えれば、トラッキング方向）に移動可能である。そして、レーベル面には例えば色素膜等が塗布されており、レーザ光が照射された部分における色素膜の反射率と、レーザ光が照射されていない部分における色素膜の反射率とが相違することを利用して、レーベル面に所望のパターンが描画される。【００１９】
このように所望のパターンがレーベル面に描画される度に、管理情報が、管理情報記録手段（例えば、メモリ等）によって記録される。ここで言う管理情報は、描画される所望のパターン（例えば、ビットマップやベクトルデータ等の画像データ）と、描画されるレーベル面を備える記録媒体に固有の識別情報（例えば、レーベル面又は記録面の何れか一方に予め記録されている識別番号）とが対応付けられた情報である。【００２０】
ここで仮に、記録媒体を直接視認するだけで、これまでの描画処理によって描画されている所望のパターンの配置や大きさを正確に把握することは困難である。このような不正確な把握に基づいて、今回の描画処理にあたり新たに受け付けられる所望のパターンを追加で描画すると、描画時の条件によっては描画される画像等が重なってしまうおそれがある。【００２１】
然るに、この管理情報を利用すれば、その記録媒体に記録されている固有の識別情報を光学的に読み出せば、読み出された識別情報に該当する管理情報に基づいて、その記録媒体にこれまでに描画されている所望のパターンが管理情報記録手段から容易に読み出し可能となる。このように、管理情報に基づいて、これまでに描画されている所望のパターンを簡便に特定できるので、例えば、後述する表示手段によって、これまでに描画されている所望のパターンを下絵として表示し、その上から今回の描画処理にあたり受け付けられる所望のパターンを表示することで、ユーザが最終的な仕上がりを確認した上で描画処理を行える。【００２２】
以上みてきたように、本発明の描画装置に係る実施形態によれば、例えば記録媒体のレーベル面に対して、重なりなく所望のパターンを描画可能となり、実践上非常に有効である。【００２３】
本発明の描画装置に係る実施形態の一の態様によると、前回及びそれ以前に行われた前記描画処理によって前記記録媒体に描画されている前記所望のパターンを描画履歴として、前記記録される管理情報に基づいて表示する表示手段を更に備える。【００２４】
この態様によれば、上述の描画処理が一層好適に行われる。より詳しくは、記録される管理情報に基づいて、描画履歴（即ち、前回及びそれ以前に行われた描画処理によって記録媒体に描画されている所望のパターン）が、表示手段（例えば、画面を有するディスプレイ装置）に表示される。ここで、例えば描画履歴と今回の描画処理にあたり受け付けられる所望のパターンとを同一の画面内に表示すれば、ユーザが最終的な仕上がりを確認した上で描画処理を行える。このように、本態様によると、上述の描画処理が一層好適に行われるので、実践上非常に有効である。【００２５】
この描画履歴を表示する態様では、前記描画履歴と今回の描画処理にあたり受け付けられる前記所望のパターンとの、前記レーベル面における重なりがあるか否かを判定する判定処理を行う判定手段を更に備えてもよい。【００２６】
この態様によれば、今回の描画処理を行う前に予め重なりを把握できるので、ユーザはこの重なりに適切に対処できる。より詳しくは、描画履歴と今回の描画処理にあたり受け付けられる所望のパターンとの、レーベル面における重なりがあるか否かが、判定手段（例えば、演算回路を有するコントローラ）によって判定される。例えば、両パターンを描画するための画像データ（例えば、ビットマップやベクトルデータ等）から、レーベル面において両パターンが占有する座標が特定可能であるので、両座標の重なりを特定することで、重なりがあるか否かが判定される。ここで言う「重なり」には、重なりの有無のみならず、重なりの程度、或いはどの位置で重なっているか等が含まれてもよい。このようにして、今回の描画処理を行う前に予め重なりを把握できるので、ユーザはこの重なりに適切に対処できる。【００２７】
この重なりが判定される態様では、前記判定処理により前記重なりがあると判定される場合には、前記ユーザに対して所定の警告を与える警告手段を更に備えてもよい。【００２８】
この態様によれば、描画の重なりを好適に回避できる。より詳しくは、上述の判定処理により重なりがあると判定される場合には、警告手段（例えば、演算回路を有するコントローラ）によって、ユーザに対して所定の警告が与えられる。ここで言う「警告」とは、描画処理を行うにあたり何らかの好ましくない事態が生じていることをユーザに対して通知するものであり、例えば警告文を上述の表示手段に表示させても良いし、或いは警告音を鳴らしてもよい。このように、警告が与えられれば、ユーザは適宜所望のパターンを描画する前に修正可能となるので、上述のような描画の重なりを好適に回避できる。【００２９】
或いは、この重なりが判定される態様では、前記判定処理により前記重なりがあると判定される場合には、前記重なりの程度が低減するように、前記今回の描画処理にあたり受け付けられる前記所望のパターンを移動又は縮小させる修正手段を更に備えてもよい。【００３０】
この態様によれば、描画の重なりを比較的容易に回避できる。より詳しくは、判定処理により重なりがあると判定される場合には、今回の描画処理にあたり受け付けられる所望のパターンが、修正手段（例えば、演算回路を有するコントローラ）によって、重なりの程度が低減するように移動又は縮小させられる。例えば、所定方向にその方向における重なりの幅と同程度の距離だけ移動させてもよいし、或いは描画履歴に基づいてレーベル面における空き領域（即ち、未だ何も描画されていない領域）を探し出しその空き領域に収まるように縮小してから移動させてもよいし、予め各パターンを配置するための型（例えば、縦一列に配置、記録媒体の外形に沿って配置等の型）を持っていてその型に合わせるように移動又は縮小してもよい。このように所望のパターンがいわば自動的に修正されるので、描画の重なりを比較的容易に回避できる。【００３１】
この態様によると、前記管理情報が記録されていない場合に、前記レーベル面を光学的に走査することで、前記描画履歴を読み取る読取手段を更に備え、前記表示手段は、前記読み取られる所望のパターンを表示する。【００３２】
この態様によれば、管理情報が記録されていない場合でも重なりを回避できる。より詳しくは、管理情報が記録されていない場合であっても、読取手段（例えば、描画手段と共通で用いられ、半導体レーザ素子と受光素子とを有する光ピックアップ）によってレーベル面が光学的に走査されて、描画履歴が読み取られる。ここでの「光学的に走査」は、例えばレーベル面に、描画時よりも弱いパワーでレーザ光を出射し反射光を読み取っていくことを示す。レーベル面のうち所望のパターンが描画されている部分の色素膜と描画されていない部分のそれとでは、反射率が異なることを利用する趣旨である。こうして読み取られる所望のパターンが、表示手段によって表示されるので、それを見ながらユーザは適宜所望のパターンを描画する前に修正可能となる。このように、管理情報が記録されていない場合でも重なりを回避できる。【００３３】
本発明の描画装置に係る実施形態の他の態様によると、当該描画装置が前記レーベル面として前記記録媒体の記録面に描画する場合（例えば、ＤｉｓｃＴ＠２方式により描画する場合）、前記記録面に対してデータを１度きり又は追加で記録可能なデータ記録手段（例えば、描画手段と共通のピックアップ）を更に備え、前記管理情報記録手段は、前記描画される所望のパターンに加えて、前記記録面におけるデータ記録済みの領域（例えば、トラック情報や２次元座標等）も、前記管理情報として記録する。【００３４】
この態様によれば、当該記録媒体の記録面のうち、所望のパターンが描画済みの領域と未描画の領域とを判別できるのみならず、データが記録済みの領域と未記録の領域とを判別できる。従って、データが記録済みの領域に所望のパターンを描画してしまうような事態や、所望のパターンが描画済みの領域にデータを記録してしまうような事態、つまり描画によって記録品質が悪化してしまうような事態を回避できる。【００３５】
このようにデータ記録済みの領域も管理情報として記録される態様では、前記表示手段は、前記データ記録済みの領域も更に表示してもよい。【００３６】
この態様によれば、ユーザは表示された内容を確認しながら、過去に描画された所望のパターンのみならずデータ記録済みの領域に重ならないように、所望のパターンを配置できる。【００３７】
このようにデータ記録済みの領域も更に表示される態様では、前記表示手段は、前記データ記録手段によってデータが追加で記録される予定のある領域（この領域も当然ながら入力手段によって受け付けられる）も更に表示してもよい。【００３８】
この態様によれば、ユーザは表示された内容を確認しながら、データが記録済みの領域のみならずこれから追加で記録しようとしている領域にも重ならないように、ユーザは所望のパターンを配置できる。【００３９】
或いは、このようにデータ記録済みの領域も管理情報として記録される態様では、前記記録された管理情報に基づいて、前記記録面におけるデータ追加記録が可能な領域に対応する残り記録可能容量を算出する算出手段（例えば、システムコントローラ）を更に備えてもよい。【００４０】
この態様によれば、算出手段によって、残り記録可能容量が適宜算出される。残り記録可能容量は、具体的に例えば、外周側へ向かってデータ記録済みの領域に連続してデータの追加記録をする場合には、データ記録済みの領域が占めるトラックのうち最外周のものと、所望のパターン（ただし、描画済みのもののみならず、これから追加で描画予定のものも含む）が占めるトラックのうち最内周のものとの差として算出される。この差には若干のマージンを設けてもよい。なお、データの記録方向が反対に内周側へ向かうのであれば、当然ながらその方向に応じて差の算出対象も異なる。また、所望のパターンを跳ばして更に外周側にデータの追加記録が可能な構成であれば、上述の差に、所望のパターンが占めるトラックのうち最外周のものと記録面のトラックのうち最外周のものとの差を加えてもよい。いずれにせよ、このように残り記録可能容量が算出されるので、ユーザがデータの追加記録をしようと考えている場合に利便性が向上する。【００４１】
このように残り記録可能容量が算出される態様では、前記表示手段は、前記算出される残り記録可能容量も更に表示してもよい。【００４２】
この態様によると、ユーザは、これから追加で描画予定の所望のパターンを、残り記録可能容量を確認しながら配置できる。また、最低限確保したい記録容量から、所望のパターンの配置が許容される領域を表示してもよい。【００４３】
（描画方法の実施形態）
本発明の描画方法に係る実施形態は、記録媒体が備えるレーベル面に所望のパターンを描画するための描画処理を行う描画装置における描画方法であって、前記描画される所望のパターンをユーザから受け付ける入力工程と、前記レーベル面にレーザ光を照射することで、前記受け付けられる所望のパターンを前記レーベル面に描画する描画工程と、前記所望のパターンが前記レーベル面に描画される度に、該描画される所望のパターンと、前記描画されるレーベル面を備える前記記録媒体に固有の識別情報とが対応付けられた管理情報を記録する管理情報記録工程とを備える。【００４４】
本発明の描画方法に係る実施形態は、上述した本発明の描画装置に係る実施形態が享受することができる各種効果と同様の効果を享受することができる。【００４５】
尚、上述した本発明の描画装置に係る実施形態における各種態様に対応して、本発明の描画方法に係る実施形態も各種態様をとることができる。【００４６】
（コンピュータプログラムの実施形態）
本発明のコンピュータプログラムに係る実施形態は、記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える描画装置に備えられたコンピュータを制御するコンピュータプログラムであって、前記コンピュータプログラムは、前記コンピュータを、少なくとも前記管理情報記録手段として機能させる。【００４７】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の描画装置に係る実施形態を比較的簡単に実現できる。【００４８】
尚、上述した本発明の描画装置に係る実施形態における各種態様に対応して、本発明のコンピュータプログラムに係る実施形態も各種態様を採ることが可能である。【００４９】
本発明のコンピュータプログラム製品に係る実施形態は、該コンピュータを、少なくとも前記管理情報記録手段として機能させる。【００５０】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の描画装置に係る実施形態を比較的容易に実施可能となる。更に具体的には、当該コンピュータプログラム製品は、上述した本発明の描画装置に係る実施形態として機能させるコンピュータ読取可能なコード（或いはコンピュータ読取可能な命令）から構成されてよい。【００５１】
尚、上述した本発明の描画装置に係る実施形態における各種態様に対応して、本発明のコンピュータプログラム製品に係る実施形態も各種態様を採ることが可能である。【００５２】
本実施形態のこのような作用及び他の利得は次に説明する実施例から更に明らかにされよう。【００５３】
以上説明したように、本発明の描画装置に係る実施形態によれば、入力手段、描画手段、管理情報記録手段とを備える。本発明の描画方法に係る実施形態によれば、入力工程、描画工程、管理情報記録工程とを備える。本発明のコンピュータプログラムに係る実施形態によれば、コンピュータを、少なくとも管理情報記録手段として機能させる。従って、描画処理において、重なりなく所望のパターンを描画可能となる。
【実施例】
【００５４】
以下、本発明の実施例を図面に基づいて説明する。尚、以下の実施例では、本発明の描画装置等を、光ディスクの情報記録再生装置に適用した構成を用いて説明を進める。【００５５】
（１）  第1実施例
（１−１）  基本構成
初めに、図１及び図２を参照して、第１本実施例に係る情報記録再生装置及び該情報記録再生装置による動作の対象となる光ディスクの夫々の基本構成について説明を進める。ここに、図１は、第1実施例に係る記録再生装置の基本構成を概念的に示すブロック図であり、図２は、第1実施例に係る記録再生装置の動作の対象となる光ディスクの基本構成を示す平面図である。【００５６】
図１に示すように、本実施例に係る情報記録再生装置１は、スピンドルモータ１１と、光ピックアップ（ＯＰＵ：Optical Pick Up）ユニット１２と、光ピックアップ１３と、スレッド１４と、ステッピングモータ１５と、エンコーダ５１と、表示部４１と、入力部４２と、ＯＰＵコントローラ１６と、ステッピングコントローラ１７と、スピンドルコントローラ１８と、システムコントローラ３１と、メモリ３２とを備えている。【００５７】
スピンドルモータ１１は光ディスク１００を回転及び停止させるモータである。より詳細には、スピンドルモータ１１は、スピンドルコントローラ１８の制御下で、スピンドルサーボを受けつつ所定速度で光ディスク１００を回転及び停止させるように構成されている。【００５８】
光ピックアップユニット１２は、光ピックアップ１３とスレッド１４とを保持する筐体である。【００５９】
スレッド１４は、ステッピングモータ１５による駆動力を受けて、光ピックアップユニット１２と共に光ディスク１００の半径方向に移動する。【００６０】
光ピックアップ１３は、本発明における「描画手段」及び「データ記録手段」の一具体例を構成しており、光ディスク１００に対するデータの記録及び再生を行うために、例えば図示しない半導体レーザ素子、コリメータレンズ、受光素子、対物レンズ、及び対物レンズのレンズホルダを複数軸について揺動可能なアクチュエータ１３１等から構成される。光ピックアップ１３は、ステッピングモータ１５によるスレッド１４の移動により、光ディスク１００の半径方向における位置が調整され、更に光ピックアップユニット１２内に設けられるアクチュエータ１３１によりその位置が細かく調整される。つまり、ステッピングモータ１５によるスレッド１４の移動により、光ピックアップ１３の位置が決定され、その後、より高い分解能で可動できるアクチュエータ１３１によりレーザ光ＬＢの照射位置が決定される。この際、スレッド１４の移動精度を高める為に、着磁力の高い2相移動位置のみを使用して移動を行うとよい。そして、光ピックアップ１３は、光ディスク１００に対してレーザ光ＬＢを、再生時には読み取り光として第１のパワーで照射し、記録時には書き込み光として第２のパワーで且つ変調させながら照射する。加えて、光ピックアップ１３は、光ディスク１００に対するレーベル描画を行う際に、光ディスク１００に対してレーザ光ＬＢを照射する。【００６１】
ステッピングモータ１５は、ステッピングコントローラ１７により印加される電圧に応じて、スレッド１４を光ディスク１００の半径方向に沿って移動させる。【００６２】
エンコーダ５１は、エンコーダコントローラ５２の制御下で、光ディスク１００の特徴データ記録エリア１２１（図２を参照）に対してレーザ光を照射すると共に、その反射光を受光素子により受光することにより、光ディスク１００の速度情報や角度情報を取得する。【００６３】
表示部４１は、例えば液晶ディスプレイ或いはプラズマディスプレイ等を有し、レーベル描画を行う際のユーザインターフェースとして機能する。例えば、表示部４１は、光ディスク１００のデータ記録層１１０に記録されているデータの読み取り結果を動画像として表示する。加えて、レーベル層１２０に対して描画する所望のパターンを表示する（図４を参照）。これら所望のパターンの履歴は、光ディスク１００の管理情報と対応付けられて、メモリ３２に記録されており、ユーザは、表示部４１に表示された所望のパターンの履歴を見ながら、入力部４２を介して新たなパターンを指定できる。【００６４】
入力部４２は、本発明における「入力手段」の一具体例を構成しており、例えばキーボード、マウス、或いは表示部４１と一体化したタブレット型ディスプレイであり、ユーザから所望のパターンを形成するための情報（例えば、文字・コマンド・座標情報）等の各種入力を受付る。受け付けられた入力は、データバス２１を介して、システムコントローラ３１に伝達され、その内容に応じて、表示部４１に表示されている所望のパターンが変更され、或いは当該情報記録再生装置１により所定の動作処理が行われる。【００６５】
ＯＰＵコントローラ１６は、例えばレーザダイオードドライバ等を備えており、光ピックアップ１３によるレーザ光ＬＢの照射動作を制御する。具体的には、ＯＰＵコントローラ１６は、システムコントローラ３１による制御の下に、ステッピングコントローラ１７、スピンドルコントローラ１８、エンコーダコントローラ５２と協働しながら、レーザ光ＬＢのパワーや照射タイミング、照射位置等（言い換えれば、光ピックアップ１３の動作）を制御する。【００６６】
ステッピングコントローラ１７は、ステッピングモータ１５に印加するべき電圧を制御することで、ステッピングモータ１５によるスレッド１４の移動量を制御する。具体的には、ステッピングコントローラ１７は、システムコントローラ３１による制御の下に、ＯＰＵコントローラ１６やスピンドルコントローラ１８と協働しながら、スレッド１４の移動量（言い換えれば、ステッピングモータ１５の動作）を制御する。【００６７】
スピンドルコントローラ１８は、スピンドルモータ１１による光ディスク１００の回転を制御する。具体的には、スピンドルコントローラ１８は、システムコントローラ３１による制御の下に、ＯＰＵコントローラ１６やステッピングコントローラ１７と協働しながら、光ディスク１００の回転速度や回転角度等（言い換えれば、スピンドルモータ１１の動作）を制御する。【００６８】
システムコントローラ３１は、表示部４１、入力部４２、ＯＰＵコントローラ１６、ステッピングコントローラ１７、スピンドルコントローラ１８及びメモリ３２と、データバス２１を介して接続され、ＯＰＵコントローラ１６、ステッピングコントローラ１７及びスピンドルコントローラ１８の夫々に対して制御コマンドを出力することで、情報記録再生装置１全体の制御を行う。また、システムコントローラ３１は、入力部４２からの入力情報に基づく動画像（特に、所望のパターン）を表示部４１に表示させると共に、その入力情報を適宜メモリ３２に格納する。通常、システムコントローラ３１が動作するためのソフトウェア又はファームウェアは、メモリ３２に格納されている。【００６９】
メモリ３２は、本発明における「管理情報記録手段」の一具体例を構成しており、情報記録再生装置１が動作するためのプログラム（即ち、ファームウェア）が格納されるＲＯＭ領域と、情報記録再生装置１による動作中に用いられるデータが一時的に格納されるＲＡＭ領域などから構成される。加えて、レーベル描画のためのソフトウェア（言い換えれば、描画用アプリケーション）や、描画するレーベルの管理情報等も、メモリ３２に格納されている。このように記録された管理情報に基づいて、本発明における「算出手段」の一具体例を構成するシステムコントローラ３１は、光ディスク１００の残り記録可能容量を適宜算出可能である。【００７０】
尚、本実施例に係る記録再生装置の動作の対象となる光ディスク１００は、例えば、図１及び図２に示すように、ＤＶＤと同じく円形状の形状を有しており、一方の側にデータ記録層１１０が積層されており、他方の側にレーベル層１２０が積層されている。データ記録層１１０に対しては、図１中の下側からレーザ光ＬＢが照射されることで、データの記録及び再生が行われる。他方で、レーベル層１２０に対しては、図１中の上側から（実際には、光ディスク１００を裏返して図１中の下側から）レーザ光ＬＢが照射されることで、レーベルの描画が行われる。【００７１】
光ディスク１００のデータ記録層１１０は、例えばレーザ光ＬＢの照射により特性（例えば、反射特性）が変わる色素膜や相変化膜により構成されている。データ記録層１１０には、センターホール１３０（図２参照）を中心として、リードインエリア、ユーザデータエリア及びリードアウトエリアが設けられている。そして、データ記録層１１０には、例えば、センターホール１３０を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、データをエラー訂正可能なデータ管理単位である。【００７２】
他方で、光ディスク１００のレーベル層１２０は、例えばレーザ光ＬＢの照射により特性（例えば、反射特性）が変わる色素膜により構成されている。レーベル層１２０には、上述したトラックが設けられていないが、トラックが設けられていてもよい。レーベル層１２０には特に、最内周側に特徴データ記録エリア１２１が設けられており、レーベル（つまり、本発明における「所望のパターン」の一具体例）の描画が実際に行われるレーベルエリア１２２が該特徴データ記録エリア１２１の外周側に設けられている。【００７３】
特徴データ記録エリア１２１には、図２の下側に示す特徴データ記録エリア１２１の拡大図に示すように、高い光反射率を有する矩形パターンとこの高い光反射率を有する矩形パターンと同一のサイズを有し且つ低い光反射率を有する矩形パターンとが規則的に配列されてなるパターン１２１１が形成されている。このパターン１２１１は、エンコーダ５１により読み取られる。このパターン１２１１により、情報記録再生装置１は、レーベルエリア１２２へのレーベル描画時に、光ディスク１００の速度（具体的には、角速度又は回転速度）に関する情報を取得することができる。これにより、情報記録再生装置１は、レーベルエリア１２２へのレーベル描画時における光ディスク１００の速度を調整又は認識することができる。【００７４】
また、特徴データ記録エリア１２１には、図２の下側に示す特徴データ記録エリア１２１の拡大図に示すように、高い光反射率を有する矩形パターンと低い反射率を有する矩形パターンとが不規則的に配列されてなるパターン１２１２が形成されている。特に、高い光反射率を有する矩形パターンと低い反射率を有する矩形パターンとの夫々は、夫々の矩形パターンが形成される位置に応じて様々なサイズを有している。このパターン１２１２により、情報記録再生装置１は、回転中の光ディスク１００の角度方向（即ち、光ディスク１００の中心からディスクの周囲の所定の点に向かって伸張する線がどの方向を指すか）に関する情報を取得することができる。これにより、情報記録再生装置１は、レーベルエリア１２２へのレーベル描画時における光ディスク１００の角度を調整又は認識することができる。【００７５】
また、特徴データ記録エリア１２１には、図２の下側に示す特徴データ記録エリア１２１の拡大図に示すように、高い光反射率を有する鋸歯パターンと、高い光反射率を有する鋸歯パターンとは逆向きに配置され且つ低い光反射率を有する矩形パターンとが規則的に配列されてなるパターン１２１３が形成されている。このパターン１２１３により、情報記録再生装置１は、光ディスク１００の半径方向における光ピックアップ１３の位置を高精度に調整することができる。言い換えれば、アクチュエータ１３１による光ピックアップ１３のトラッキング精度を調整することができる。【００７６】
より具体的には、パターン１２１３に照射されるレーザ光ＬＢの反射光のデューティー比により、光ピックアップユニット１２のトラッキング精度を調整することができる。アクチュエータ１３１に所定の電圧を印加したとき、デューティー比が５０％となる位置（つまり、パターン１２１３の半径方向における中心位置）からの光ピックアップ１３の移動量が、デューティー比に基づいて検出される。この動作を、アクチュエータ１３１に印加する電圧を変化させながら繰り返す。これにより、アクチュエータ１３１に印加する電圧と、光ピックアップ１３の移動量との相関関係を取得することができる。以後は、取得された相関関係を用いて、レーベルエリア１２２へのレーベル描画時に、光ピックアップ１３の位置が調整される。【００７７】
尚、相対的に内周側に形成されるパターン１２１１をインナーリングと称し、該インナーリングは、例えば、光ディスク１００上での半径位置が１９．００ｍｍから２１．１５ｍｍの間のエリアに形成されている。他方、相対的に外周側に形成されるパターン１２１２及び１２１３をアウターリングと称し、該アウターリングは、例えば、光ディスク１００上での半径位置が２１．１５ｍｍから２１．８０ｍｍの間のエリアに形成されている。そして、特徴データ記録エリア１２１に形成される各パターンは、レーベルエリア１２２にレーベルを描画している間に情報記録再生装置１により読み取られるように構成してもよいし、レーベルエリア１２２にレーベルを描画する前に読み取られるように構成してもよい。またこれらの各パターンは、シルクスクリーン印刷法により形成されてもよいし、或いは他の方法で形成されてもよい。【００７８】
レーベルエリア１２２には、図２の上側に示すように、ユーザの所望のレーベル（例えば、文字や図形や画像等）を描画することができる。この所望のレーベルは、レーザ光ＬＢが照射される微小領域における光の反射率と、レーザ光ＬＢが照射されない微小領域における光の反射率との差を利用して、いわゆるモノクロパターンとして描画される。【００７９】
（１−２）動作原理
続いて、図３から図６を参照して、本実施例に係る情報記録再生装置１による動作（特に、レーベル層１２０への描画動作）について説明する。【００８０】
先ず、図３及び図４を参照して、比較例と本実施例とのレーベル描画に関する違いを概略的に示す。ここに、図３は、比較例に係る情報記録再生装置によって描画されるレーベルを概念的に示す平面図である。図４は、第1実施例に係る情報記録再生装置１によって描画されるレーベルを概念的に示す平面図である。【００８１】
図３（ａ）において、所望のパターンを作成するに先立ち表示部４１に表示される、仮想の光ディスク１０１及び仮想のレーベルエリア１２２１が示されている。比較例では、前回までの描画情報が管理されていないので、前回までに描画されたレーベルは表示部４１に表示されない。【００８２】
図３（ｂ）において、所望のパターンとして今回作成された今回分の仮想のレーベル１４１が、仮想のレーベルエリア１２２１上に示されている。比較例では、前回までに描画されたレーベルの配置や大きさが不明であるため、今回分の仮想のレーベル１４１の配置や大きさは、ユーザにより感覚的に決められている。【００８３】
図３（ｃ）において、今回分の仮想のレーベル１４１に基づいて、レーベルエリア１２２に実際に描画される今回分のレーベル１４０が示されている。比較例では、今回分の仮想のレーベル１４１が感覚的に決められているので、今回分のレーベル１４０が前回分のレーベル１３０と一部重なったままで描画されてしまっている。【００８４】
このような比較例に対し本実施例では、図４（ａ）において、所望のパターンを作成するに先立ち表示部４１に表示される、仮想の光ディスク１０１、仮想のレーベルエリア１２２１、及び、前回分の仮想のレーベル１３１が示されている。本実施例では特に、前回までの描画情報が管理されているので、前回までに描画された前回分の仮想のレーベル１３１も表示部４１に表示されている。【００８５】
図４（ｂ）において、所望のパターンとして今回作成された今回分の仮想のレーベル１４１が、前回分の仮想のレーベル１３１と共に、仮想のレーベルエリア１２２１上に示されている。本実施例では特に、ユーザは、前回分の仮想のレーベル１３１を視認しながら今回分の仮想のレーベル１４１の配置や大きさを決めることができる。【００８６】
図４（ｃ）において、今回分の仮想のレーベル１４１に基づいて、レーベルエリア１２２に実際に描画される今回分のレーベル１４０が示されている。このとき、今回分の仮想のレーベル１４１は前回分の仮想のレーベル１３１を視認しながら決められているので、今回分のレーベル１４０が前回分のレーベル１３０と重ならないように適切に配置された状態で描画可能である。【００８７】
続いて、図４（ａ）から図４（ｃ）に加え、図５及び図６を参照してレーベル描画の具体的な動作処理について説明を加える。ここに、図５は、第1実施例に係る描画管理処理の流れを概念的に示すフローチャートである。図６は、第1実施例に係る描画管理処理における描画処理の流れを概念的に示すフローチャートである。【００８８】
図５において、先ず、システムコントローラ３１は、スピンドルモータ１１にセットされており且つレーベル描画対象となる光ディスク１００の管理情報（光ディスク１００の識別情報に対応する）を、メモリ３２から読み込む(ステップＳ１)。具体的には、光ディスク１００に予め記録されている固有ＩＤを読み取り、その固有ＩＤに対応付けられた管理情報をメモリ３２から読み込む。【００８９】
このとき、この管理情報が存在するか否かが、システムコントローラ３１によって判断される(ステップＳ２)。ここで、管理情報が存在する場合(ステップＳ２：ＹＥＳ)、前回までの描画情報（即ち、前回分の仮想のレーベル１３１を含む）がメモリ３２から読み込まれて表示部４１に表示される(ステップＳ３)。この様子が、図４（ａ）に示されている。【００９０】
他方で、管理情報が存在しない場合(ステップＳ２：ＮＯ)、初回のレーベル描画であるとして、デフォルトの管理情報が新規に作成される (ステップＳ３２)。なお、初回のレーベル描画ではないが、管理情報が存在しない場合（例えば、固有ＩＤが光ディスク１００から読み取られない場合）を見越して、レーザ光ＬＢをレーベルエリア１２２に第１のパワーで照射・受光することにより、前回までにレーベルエリア１２２に描画されたレーベルをスキャンして表示部４１に表示されてもよい。【００９１】
続いて、前回分の仮想のレーベル１３１を表示部４１で確認しながら、ユーザが入力部４２を介して、今回分の仮想のレーベル１４１を追加で作成する(ステップＳ４)。この様子が、図４（ｂ）に示されている。なお当然ながら、今回のレーベル描画がこの光ディスク１００に対する初めてのものであれば、レーベルを新規に作成することとなる。【００９２】
続いて、作成された今回分の仮想のレーベル１４１を所望のレーベルとして、レーベルエリア１２２に対して描画する描画処理が行われる(ステップＳ５)。これにより、今回分のレーベル１４０が前回分のレーベル１３０と重ならないように適切に配置された状態で描画される。この様子が、図４（ｃ）に示されている。なお、この描画処理の詳細については、図６を参照して後述する。【００９３】
最後に、今回分の仮想のレーベル１４１を含む描画情報が、メモリ３２に格納される(ステップＳ６)。このように格納された描画情報は、次回以降の描画状態の管理において利用される。【００９４】
ここで、図６を参照して、ステップＳ５の描画処理を詳述する。【００９５】
図６において、初めに、システムコントローラ３１の制御の下に、情報記録再生装置１にローディングされた光ディスクが、情報記録再生装置１によりレーベル描画可能な光ディスク１００であるか否か（つまり、上述した本実施例に係る光ディスク１００であるか否か）が判定される（ステップＳ５０１）。【００９６】
ステップＳ５０１における判定の結果、情報記録再生装置１にローディングされた光ディスクが、情報記録再生装置１によりレーベル描画可能な光ディスク１００でないと判定された場合には（ステップＳ５０１：Ｎｏ）、以下に説明するステップＳ５０２からステップＳ５０７に係る動作は行われず、ローディングされた光ディスクに応じた動作が行われる（ステップＳ１０８）。【００９７】
他方、ステップＳ５０１における判定の結果、情報記録再生装置１にローディングされた光ディスクが、情報記録再生装置１によりレーベル描画可能な光ディスク１００であると判定された場合には（ステップＳ５０１：Ｙｅｓ）、続いて、スピンドルコントローラ１８の制御の下に、スピンドルモータ１１がロックされる（ステップＳ５０２）。具体的には、上述したパターン１２１１を含むインナーリングが読み取られ、該読取結果に応じて、スピンドルモータ１１の回転速度（言い換えれば、光ディスク１００の回転速度）が調整される。以降は、スピンドルモータ１１の回転速度は、一定に維持される。【００９８】
続いて、上述したパターン１２１２及び１２１３を含むアウターリングがサーチされた後（ステップＳ５０３）、フォーカスサーボがＯＮとなる（ステップＳ５０４）。【００９９】
その後、ステップＳ５０３においてサーチされたアウターリングを用いて、トラッキング精度の調整が行われる（ステップＳ５０５）。【０１００】
その後、レーベルエリア１２２に対する所望のレーベルの描画を開始する位置であるトラック０がサーチされる（ステップＳ５０６）。レーベル層１２０には物理的なトラックが存在していないため、このトラック０は仮想的なトラックであるが、例えば、光ディスク１００上での半径位置が２３．８０±０．０３ｍｍの位置に存在する。【０１０１】
その後、レーベルエリア１２２に対する所望のレーベルの描画が行われる（ステップＳ５０７）。【０１０２】
以上みてきたように、本実施例に係る情報記録再生装置１によると、今回分のレーベル１４０が前回分のレーベル１３０と重ならないように適切に配置された状態で描画される。このように、各レーベルの重なりをより確実に回避可能であり、実践上非常に有効である。【０１０３】
（２）  第２実施例
次に、図１から図６に加えて、図７及び図８を参照して、第２実施例に係る情報記録再生装置及び該情報記録再生装置による動作の対象となる光ディスクの夫々の基本構成について説明を進める。【０１０４】
第２実施例においては特に、第１実施例と異なり、今回分の仮想のレーベル１４１と前回分の仮想のレーベル１３１とが重なった場合に警告がなされる。【０１０５】
（２−１）  基本構成
先ず、第２実施例に係る情報記録再生装置の基本構成について説明する。ここで、第２実施例に係る情報記録再生装置の基本構成は図１に示す情報記録再生装置１と同様でよく、光ディスクの基本構成は図２に示す光ディスク１００と同様でよい。そこで、同一の構成については同一の参照符号を付し、その詳細な説明を適宜省略する。【０１０６】
（２−２）動作原理
続いて、図７及び図８を参照して、第２実施例に係る情報記録再生装置１による動作（特に、警告動作）について説明する。ここに、図７は、第２実施例に係る描画管理処理の流れを概念的に示すフローチャートである。図８は、第２実施例に係る警告画面を示す平面図である。ここでは、図７を参照しながら、本実施例に係る情報記録再生装置１による動作の全体について説明しつつ、適宜図８を参照して、より詳細な説明を加えていく。なお、第２実施例に係る情報記録再生装置の動作処理のうち、図５に示すステップと同一の動作処理でよい場合には同一の参照符号を付し、その詳細な説明を適宜省略する。【０１０７】
図７において、図５を参照して上述したように、今回分の仮想のレーベル１４１が追加で作成されると(ステップＳ４)、この今回分の仮想のレーベル１４１が前回分の仮想のレーベル１３１と重なっていないか否かが、システムコントローラ３１によって判定される（ステップＳ４１）。具体的には、両者の占める領域を座標データとして表し、互いの領域の重なりの有無が判定される。この際、許容される重なりの程度は多段階に可変であってもよい。【０１０８】
ここで、今回分の仮想のレーベル１４１が前回分の仮想のレーベル１３１と重なっていないと判定される場合（ステップＳ４１：ＹＥＳ）、何ら問題は生じていないので、そのまま描画処理が行われる(ステップＳ５)。【０１０９】
他方で、今回分の仮想のレーベル１４１が前回分の仮想のレーベル１３１と重なっていると判定される場合（ステップＳ４１：ＮＯ）、このままでは今回分のレーベル１４０が前回分のレーベル１３０と重なって描画されてしまうので、システムコントローラ３１は表示部４１に対して警告を表示すべき旨の命令を出す（ステップＳ４２）。その結果、例えば図８に示すような「重なり発生！位置の変更をおすすめします」という警告文１５１が表示部４１に表示される。【０１１０】
この警告文１５１を受けて、今回分の仮想のレーベル１４１の配置や大きさの修正がなされる（ステップＳ４３）。この修正は、入力部４２を介してユーザの手動で行われてもよいし、自動で行われてもよい。自動で行われる場合には、例えば、システムコントローラ３１が、仮想のレーベルエリア１２２１のうち前回分の仮想のレーベル１３１が描画されていない領域の中から今回分の仮想のレーベル１４１が収まる場所を特定してその領域に今回分の仮想のレーベル１４１を配置しなおしてもよい。或いは、配置（例えば、各レーベルの並び方を縦並びに配置する、或いは円周に沿って配置する等）や大きさ（例えば、各レーベルの縦横の上下限値、フォントの大きさの上下限値を指定する等）を規定するためのパターンを予め指定しておき、そのパターンに合わせて修正が自動的になされてもよい。なお、敢えて両レーベルを重ならせているのであれば、警告文１５１を無視することも当然可能である。【０１１１】
以上みてきたように、本実施例に係る情報記録再生装置１によると、ユーザが今回分の仮想のレーベル１４１と前回分の仮想のレーベル１３１とを重ねて配置してしまい、その事実を見逃してしまうような場合にも、警告文１５１が表示される。このように、各レーベルの重なりをより確実に回避可能であり、実践上非常に有効である。【０１１２】
また、上述の実施例では、ライトスクライブ技術を想定して説明したが、レーベルの描画をするための技術であれば、他の技術（例えば、レーベルフラッシュ、ＤｉｓｃＴ＠２）等の各種用途において、上述した構成を採用することで、上述した効果を享受できることは言うまでもない。【０１１３】
（３）  第３実施例
次に、図１から図２に加えて、図７及び図８を参照して、第３実施例に係る情報記録再生装置の基本動作について説明を進める。ここで、図９は、第３実施例に係る光ディスクの記録面におけるデータ記録済みの領域が表示部に表示されている様子を概念的に示す平面図である。図１０は、第３実施例において残り記録可能容量が表示部に表示される様子を示す平面図である。図１１は、第３実施例に係る光ディスクの記録面における複数のデータ記録済み領域と描画済み領域が表示部に表示されている様子を概念的に示す平面図である。なお、本実施例に係る構成には上述の第1又は第2実施例と基本的に同様でよいが、記録層１１０に対してレーベルの描画が行われるため、特徴データ記録エリア１２１もしくはそれに相当する情報は記録面側に設けられる。【０１１４】
第３実施例においては特に、上述の実施例と異なり、DiscT@2のように記録層１１０に対してレーベルの描画が行われる。言い換えれば、光ディスク１００の記録面に対して所望のパターンの描画が行われる。具体的には、記録面側に描画を行う場合は、データがどこまで記録されているかを光ディスク１００の管理領域から読み出し、そこに重ならないような領域に描画用アプリケーション（つまり、システムコントローラ３１）が描画のための処理を行う。しかしながら、比較例を用いて上述したように、通常はどの領域に描画を行ったかという情報は保存されない。そのため、データの追加記録を行う場合、データ領域への重なりは避けられるが、描画済みの領域には重なってしまう恐れがある。かかる事態を回避すべく、本実施例では、描画履歴に加えて記録面におけるデータ記録済みの領域も、管理情報として記録しておく。この管理情報を活用することにより、描画及びデータ記録の際の利便性を向上できる。この様子を、前回分と今回分のレーベルを描画する例を見ながら以下に詳述する。【０１１５】
本実施例に係る情報記録再生装置１は、光ディスク１００の内周側からデータを記録する。このデータについての各種情報が光ディスク１００の管理領域（不図示）に記録される。これとともに、記録面におけるデータ記録済みの領域が何トラックまでかを示す情報が、光ディスク１００に固有の識別情報に対応付けられて、管理情報の一部としてメモリ３２に記録される。【０１１６】
そして、前回分のレーベル１３０が描画されるにあたって、以下のような処理が行われる。先ず、光ディスク１００に固有の識別情報が読み取られ、それに対応付けられた管理情報に基づいて、どこからどこまでがデータ記録済み領域（つまり、後述する第１データ領域１６０）であるかが読み出される。そして、図９（ａ）に示すように、この第１データ領域１６０に相当する領域が仮想の記録面１１２１における仮想の第１データ領域１６１として表示部４１に表示される。つまり、仮想の第１データ領域１６１以外の領域が描画可能な領域として表示される。よって、図９（ｂ）に示すように、ユーザーはデータ記録領域に重ならないように前回分の仮想のレーベル１３１の配置や大きさ等を決定できる。その決定に従い、図９（ｃ）に示すように、実際の記録面（兼レーベルエリア）１１２に対して、前回分のレーベル１３０が描画される。この際、前回分のレーベル１３０は第１データ領域１６０と重ならずに描画されるので、記録品質の悪化が回避される。【０１１７】
ここで、データの追加記録容量を確保する観点からは、上述のように前回分の仮想のレーベル１３１の配置や大きさ等を決定する際に光ディスク１００の残り記録可能容量を算出してユーザに表示することが好ましい。例えば、図１０（a）に示すように、ユーザーが入力部４２を介して前回分の仮想のレーベル１３１を所定の位置に配置すると、残り記録可能容量が算出されて、「残り記録可能容量は２５０MB」の旨の吹き出し１５２が表示部４１に表示されるとよい。加えて、この表示を確認したユーザーが、図１０（ｂ）に示すように、前回分の仮想のレーベル１３１を更に外周側に再配置すると、それに応じて残り記録可能容量が再算出されて、その結果「残り記録可能容量は４００MB」の旨の吹き出し１５２が表示部４１に表示されるとよい。このように残り記録可能容量を確認できれば、データの追加記録容量を極力確保しつつ、前回分の仮想のレーベル１３１の配置や大きさ等を決定できる。【０１１８】
こうして前回分のレーベル１３０が描画されると、描画用アプリケーションは管理情報の一部である描画済み領域情報を更新する。これにより、当該光ディスク１００のデータ記録済み領域及び描画済み領域を容易に判別できる。例えば描画領域を外周寄りにしておけば、データ記録領域の後に空き領域があるため、さらにデータの追加記録ができる。その追加記録の情報に基づいて管理情報を更新しておけば、図１１（ａ）に示すように仮想の第２データ領域１７１を表示でき、今回分のレーベル描画の配置を決定する際に便利である。つまり、ユーザーは複数のデータ記録済み領域（この場合では仮想の第１データ領域１６１および仮想の第２データ領域１７１）と描画済み領域（この場合では前回分の仮想のレーベル１３１）を容易に把握できるため、図１１（ｂ）に示すように、記録済み領域に重ならないように今回分の仮想のレーベル１４１の配置や大きさ等を決定できる。その決定に従い、図１１（ｃ）に示すように、空いている領域に簡単に今回分のレーベル１４０を追加で描画可能となる。【０１１９】
以上みてきたように、本実施例に係る情報記録再生装置１によると、追加の描画あるいは追加のデータ記録を行うにあたり、描画品質あるいは記録品質の悪化を好適に回避可能であり、実践上非常に有効である。【０１２０】
本発明は、上述した実施例に限られるものではなく、請求の範囲及び明細書全体から読み取れる発明の要旨或いは思想に反しない範囲で適宜変更可能であり、そのような変更を伴なう描画装置及び方法、並びにコンピュータプログラムもまた本発明の技術的範囲に含まれるものである。
【産業上の利用可能性】
【０１２１】
本発明に係る描画装置及び方法、並びにコンピュータプログラムは、例えばＤＶＤ等の記録媒体の表裏面いずれかの面に対して文字や図形や画像等のパターンを描画可能な情報記録装置に利用可能である。また、例えば民生用或いは業務用の各種コンピュータ機器に搭載される又は各種コンピュータ機器に接続可能な情報記録装置等にも利用可能である。
【図１】
2008078372.tif 000003
【図２】
2008078372.tif 000004
【図３】
2008078372.tif 000005
【図４】
2008078372.tif 000006
【図５】
2008078372.tif 000007
【図６】
2008078372.tif 000008
【図７】
2008078372.tif 000009
【図８】
2008078372.tif 000010
【図９】
2008078372.tif 000011
【図１０】
2008078372.tif 000012
【図１１】
2008078372.tif 000013
【手続補正書】
【提出日】平成21年6月3日(2009.6.3)
【手続補正１】
【補正対象書類名】特許請求の範囲
【補正対象項目名】全文
【補正方法】変更
【補正の内容】
【特許請求の範囲】
【請求項１】
記録媒体が備えるレーベル面に所望のパターンを描画するための描画処理を行う描画装置であって、
前記描画される所望のパターンをユーザから受け付ける入力手段と、
前記レーベル面にレーザ光を照射することで、前記受け付けられる所望のパターンを前記レーベル面に描画する描画手段と、
前記所望のパターンが前記レーベル面に描画される度に、該描画される所望のパターンと、前記描画されるレーベル面を備える前記記録媒体に固有の識別情報とが対応付けられた管理情報を記録する管理情報記録手段と
を備えることを特徴とする描画装置。
【請求項２】
前回及びそれ以前に行われた前記描画処理によって前記記録媒体に描画されている前記所望のパターンを描画履歴として、前記記録される管理情報に基づいて表示する表示手段を更に備える
ことを特徴とする請求項１に記載の描画装置。
【請求項３】
前記描画履歴と今回の描画処理にあたり受け付けられる前記所望のパターンとの、前記レーベル面における重なりがあるか否かを判定する判定処理を行う判定手段を更に備える
ことを特徴とする請求項２に記載の描画装置。
【請求項４】
前記判定処理により前記重なりがあると判定される場合には、前記ユーザに対して所定の警告を与える警告手段を更に備える
ことを特徴とする請求項３に記載の描画装置。
【請求項５】
前記判定処理により前記重なりがあると判定される場合には、前記重なりの程度が低減するように、前記今回の描画処理にあたり受け付けられる前記所望のパターンを移動又は縮小させる修正手段を更に備える
ことを特徴とする請求項３に記載の描画装置。
【請求項６】
前記管理情報が記録されていない場合に、前記レーベル面を光学的に走査することで、前記描画履歴を読み取る読取手段を更に備え、
前記表示手段は、前記読み取られる所望のパターンを表示する
ことを特徴とする請求項２に記載の描画装置。
【請求項７】
当該描画装置が前記レーベル面として前記記録媒体の記録面に描画する場合、
前記記録面に対してデータを１度きり又は追加で記録可能なデータ記録手段を更に備え、
前記管理情報記録手段は、前記描画される所望のパターンに加えて、前記記録面におけるデータ記録済みの領域も、前記管理情報として記録する
ことを特徴とする請求項１に記載の描画装置。
【請求項８】
前記表示手段は、前記データ記録済みの領域も更に表示する
ことを特徴とする請求項７に記載の描画装置。
【請求項９】
前記表示手段は、前記データ記録手段によってデータが追加で記録される予定のある領域も更に表示する
ことを特徴とする請求項８に記載の描画装置。
【請求項１０】
前記記録された管理情報に基づいて、前記記録面におけるデータ追加記録が可能な領域に対応する残り記録可能容量を算出する算出手段を更に備える
ことを特徴とする請求項７に記載の描画装置。
【請求項１１】
前記表示手段は、前記算出される残り記録可能容量も更に表示する
ことを特徴とする請求項１０に記載の描画装置。
【請求項１２】
記録媒体が備えるレーベル面に所望のパターンを描画するための描画処理を行う描画装置における描画方法であって、
前記描画される所望のパターンをユーザから受け付ける入力工程と、
前記レーベル面にレーザ光を照射することで、前記受け付けられる所望のパターンを前記レーベル面に描画する描画工程と、
前記所望のパターンが前記レーベル面に描画される度に、該描画される所望のパターンと、前記描画されるレーベル面を備える前記記録媒体に固有の識別情報とが対応付けられた管理情報を記録する管理情報記録工程と
を備えることを特徴とする描画方法。
【請求項１３】
記録媒体が備えるレーベル面に所望のパターンを描画するための描画処理を行う描画装置であって、前記描画される所望のパターンをユーザから受け付ける入力手段と、前記レーベル面にレーザ光を照射することで、前記受け付けられる所望のパターンを前記レーベル面に描画する描画手段と、前記所望のパターンが前記レーベル面に描画される度に、該描画される所望のパターンと、前記描画されるレーベル面を備える前記記録媒体に固有の識別情報とが対応付けられた管理情報を記録する管理情報記録手段とを備える描画装置に備えられたコンピュータを制御するコンピュータプログラムであって、
前記コンピュータプログラムは、前記コンピュータを、少なくとも前記管理情報記録手段として機能させることを特徴とするコンピュータプログラム。
【国際調査報告】
2008078372.tif 000014
2008078372.tif 000015
2008078372.tif 000016
2008078372.tif 000017